(57)【要約】【課題】鏡体の前方に向かって発光することができるだけでなく、鏡体よりも下方に向かって発光することもできるミラーキャビネットを提供する。【解決手段】本発明は、複数の鏡体４を備えたミラーキャビネット１である。鏡体４間に設けられた照明装置５を備えている。照明装置５は、前記鏡体４の上下方向の略全長に亙った長さに形成されて前面に出射面５１２を有する導光部材５１と、この導光部材５１に光を入射させる第１の光源５２と、前記導光部材５１の下端部に設けられて下方に向かって発光する第２の光源５３とを備えている。【選択図】図１
2014014616.tif 000002
【特許請求の範囲】
【請求項１】
複数の鏡体を備えたミラーキャビネットであって、
前記鏡体間に設けられた照明装置を備え、
前記照明装置は、
前記鏡体の上下方向の略全長に亙った長さに形成されて前面に出射面を有する導光部材と、
この導光部材に光を入射させる第１の光源と、
前記導光部材の下端部に設けられて下方に向かって発光する第２の光源と
を備えている
ことを特徴とするミラーキャビネット。
【請求項２】
前記導光部材の下方に設けられた収納部をさらに備え、
前記第２の光源が前記収納部に光を当てるよう設けられている
ことを特徴とする請求項１記載のミラーキャビネット。
【請求項３】
前記収納部は、
収納スペースに収納物を通すため前方に向かって開口する開口部と、
前記開口部の下縁部に軸支され略水平状態から略鉛直状態までの範囲で回動自在に設けられた開閉扉と
を備え、
前記開閉扉は、略水平状態で前記開口部を開放し略鉛直状態で前記開口部を閉塞するものであり、
前記第２の光源は、前記開閉扉が略鉛直状態の時には前記収納部よりも下方を照らし、前記開閉扉が略水平状態のときには前記開閉扉の上面を照らすものである
ことを特徴とする請求項２記載のミラーキャビネット。
【発明の詳細な説明】
【技術分野】
【０００１】
本発明は、ミラーキャビネットに関する。
【背景技術】
【０００２】
特許文献１には、従来のミラーキャビネットが開示されている。この特許文献１記載のミラーキャビネットは、複数のミラー扉と、導光板と、ＬＥＤとを備えている。導光板は、ミラー扉の間に配置されている。導光板は、ミラー扉の上下方向の全長に亙った長さに形成されている。導光板は、前面に光出射面を有している。また、導光板は、光入射面を有している。ＬＥＤは、光入射面から光を入射させるよう、導光板に隣接配置されている。
【先行技術文献】
【特許文献】
【０００３】
【特許文献１】特開２０１１−１５２２２９号公報
【発明の概要】
【発明が解決しようとする課題】
【０００４】
ところで、この特許文献１記載のミラーキャビネットは、ミラー扉の間から、前方に向かって発光するだけのものに過ぎない。このため、ユーザーは、ミラーキャビネットの下方で作業を行なう場合、手元が暗くて作業しにくい場合がある。
【０００５】
本発明は、上記事情に鑑みてなされたものであり、その目的とするところは、鏡体の前方に向かって発光することができるだけでなく、鏡体よりも下方に向かって発光することもできるミラーキャビネットを提供することにある。
【課題を解決するための手段】
【０００６】
本発明のミラーキャビネットは、複数の鏡体を備えたミラーキャビネットであって、前記鏡体間に設けられた照明装置を備え、前記照明装置は、前記鏡体の上下方向の略全長に亙った長さに形成されて前面に出射面を有する導光部材と、この導光部材に光を入射させる第１の光源と、前記導光部材の下端部に設けられて下方に向かって発光する第２の光源とを備えていることを特徴とする。
【０００７】
またこのミラーキャビネットにおいて、前記導光部材の下方に設けられた収納部をさらに備え、前記第２の光源が前記収納部に光を当てるよう設けられていることが好ましい。
【０００８】
またこのミラーキャビネットにおいて、前記収納部は、収納スペースに収納物を通すため前方に向かって開口する開口部と、前記開口部の下縁部に軸支され略水平状態から略鉛直状態までの範囲で回動自在に設けられた扉部とを備え、前記扉部は、略水平状態になると前記開口部を開放し略鉛直状態になると前記開口部を閉塞するものであり、前記第２の光源は、前記扉部が略鉛直状態の時には前記収納部よりも下方を照らし、前記扉部が略水平状態のときには前記扉部の上面を照らすものであることが好ましい。
【発明の効果】
【０００９】
本発明のミラーキャビネットによれば、鏡体の前方に向かって発光することができるだけでなく、鏡体よりも下方に向かって発光することもでき、鏡の前での作業性が向上する。
【図面の簡単な説明】
【００１０】
【図１】本実施形態の洗面化粧台の斜視図である。
【図２】本実施形態の洗面化粧台の側面図である。
【図３】本実施形態の照明装置であり（ａ）は側面図であり（ｂ）は背面図である。
【図４】本実施形態の洗面化粧台の正面図である。
【発明を実施するための形態】
【００１１】
以下、本発明の実施形態について添付図面に基づいて説明する。
【００１２】
本実施形態のミラーキャビネット１は、洗面化粧台に用いられる。洗面化粧台は、図１に示されるように、ミラーキャビネット１と、洗面台６と、下部キャビネット７とを備えている。
【００１３】
ミラーキャビネット１は、キャビネット２と、扉体３と、鏡体４と、照明装置５とを備えている。キャビネット２は、前方に向かって開口した箱形状をしている。キャビネット２の内部には、複数の収納棚（図示せず）が設けられている。収納棚には、歯ブラシや小物等の収納物が収納される。
【００１４】
扉体３は、キャビネット２の前方の開口縁に開閉自在に取り付けられている。扉体３は、キャビネット２の開口を閉塞するよう取り付けられている。扉体３は、第１の扉部３１と、第２の扉部３２と、第３の扉部３３とを備えている。
【００１５】
第１の扉部３１は、正面視左側に配置されている。第１の扉部３１は、上下方向に長さを有し、左右方向に幅を有し、これにより、正面視矩形状をしている。第１の扉部３１は、幅方向において正面視右側の端部に軸部（図示せず）を有している。第１の扉部３１は、軸部を介してキャビネット２に軸支されている。
【００１６】
第２の扉部３２は、正面視において左右方向の中央に配置されている。第２の扉部３２は、上下方向に長さを有し、左右方向に幅を有し、これにより正面視矩形状をしている。第２の扉部３２は、幅方向において正面視左側の端部に軸部（図示せず）を有している。第２の扉部３２は、軸部を介してキャビネット２に軸支されている。
【００１７】
第３の扉部３３は、正面視右側に配置されている。第３の扉部３３は、上下方向に長さを有し、左右方向に幅を有し、これにより正面視矩形状をしている。第３の扉部３３は、幅方向において正面視左側の端部に軸部（図示せず）を有している。第３の扉部３３は、軸部を介してキャビネット２に軸支されている。
【００１８】
鏡体４は、前面に鏡面を有している。鏡体４は、板状である。鏡体４は、扉体３の前面に設けられている。例えば、鏡体４は、扉体３の前面に接着により固定される。鏡体４は、第一鏡４１と、第二鏡４２と、第三鏡４３とを備えている。
【００１９】
第一鏡４１は、第１の扉部３１の前面に固定される。第一鏡４１は、第１の扉部３１と略同じ形状となっている。第一鏡４１は、サイドミラーを構成する。第二鏡４２は、第２の扉部３２の前面に固定される。第二鏡４２は、第２の扉部３２と略同じ形状となっている。第二鏡４２はセンターミラーを構成する。第三鏡４３は、第３の扉部３３の前面に固定される。第三鏡４３は、第３の扉部３３と略同じ形状となっている。第三鏡４３は、サイドミラーを構成する。これにより、本実施形態の鏡体４は、いわゆる三面鏡を構成する。
【００２０】
キャビネット２は、鏡体４よりも下方に収納部２１を備えている。収納部２１は、収納部本体２２と、開口部２３と、開閉扉２４とを有している。
【００２１】
収納部本体２２は、図２に示されるように、前方に向かって開口した箱形状となっている。収納部本体２２の内部は、収納スペースとなっている。収納スペースには、歯ブラシや小物等の収納物が収納される。収納部本体２２には、前方に向かって開口した開口部２３が設けられている。開口部２３は、収納部本体２２の前端部分である開口周縁部２３１と、開口周縁部２３１の内側に形成された連通口２３２とを備えている。この連通口２３２は、収納スペースに通じている。収納スペースに収納物が収納されるとき、この収納物は、連通口２３２を通って収納スペースに配置される。言い換えると、開口部２３は、収納スペースに収納物を通すため前方に向かって開口している。
【００２２】
開閉扉２４は、収納部本体２２の開口部２３の開口周縁部２３１の下縁部に軸支されている。開閉扉２４の外縁は、開口周縁部２３１の外縁と略一致した形状となっている。開閉扉２４は、例えば、平板により構成される。開閉扉２４は、略水平状態から、略鉛直状態までの範囲で回動する。開閉扉２４は、略水平状態では開口部２３を開放する。また開閉扉２４は、略鉛直状態では、開口部２３を閉塞する。言い換えると、開閉扉２４は、開口部２３の下縁部に開閉自在に設けられている。
【００２３】
開閉扉２４には、回動規制部（図示せず）が設けられている。回動規制部は、開閉扉２４が略水平状態になると、それよりも下方への回動を規制する。開閉扉２４は、回動して略水平状態になると、略水平状態に支持される。これにより、略水平状態の開閉扉２４の上面には、小物などを載置することができるようになっている。
【００２４】
なお、開閉扉２４の前面（略鉛直状態の開閉扉２４の前面）は、鏡面になっていてもよいし、鏡面でなくてもよい。
【００２５】
照明装置５は、図１に示されるように、第一鏡４１と第二鏡４２との間と、第二鏡４２と第三鏡４３との間との２箇所に設けられている。言い換えると、照明装置５は、鏡体４の間に設けられている。照明装置５は、鏡体４の前方に向かって発光し、且つ、鏡体４よりも下方に向かって発光する。照明装置５は、導光部材５１と、第１の光源５２と、第２の光源５３とを備えている。
【００２６】
導光部材５１は、第１の光源５２からの光により、線状に光を発する。導光部材５１は、上下方向に長さを有し、左右方向に幅を有し、且つ前後方向に厚みを有しており、棒状に形成されている。導光部材５１は、鏡体４の上下方向の略全長に亙った長さに形成されている。導光部材５１の下端部は、収納部２１のすぐ上方に位置している。導光部材５１は、第一鏡４１と第二鏡４２との間と、第二鏡４２と第三鏡４３との間とに配置されている。導光部材５１は、図３に示されるように、入射面５１１と、光拡散部５１３と、出射面５１２とを備えている。
【００２７】
入射面５１１は、導光部材５１の長手方向の端面に設けられている。入射面５１１は、導光部材５１の下端面に設けられている。入射面５１１は、第１の光源５２から発せられた光が導光部材５１内に入射するための面である。なお、入射面５１１は、長手方向の一端面に設けられていればよく、下端面に限定されない。
【００２８】
光拡散部５１３は、導光部材５１の背面側（後方側）の面に設けられている。光拡散部５１３は、入射面５１１から導光部材５１内に入射した光を導光部材５１内で拡散させる。本実施形態の光拡散部５１３は、例えば、正面視三角形状に形成されている。光拡散部５１３は、導光部材５１の長手方向において入射面５１１から離れる側に向かうほど、幅広となるよう形成されている。光拡散部５１３は、例えば、シボ加工や、ドット印刷などにより形成される。
【００２９】
なお、光拡散部５１３は、入射面５１１から離れる程、面積が大きくなっているのが好ましいが、三角形状に限定されるものではない。例えば、光拡散部５１３は、円状や矩形状などの部分的に設けられた導光パターンが、入射面５１１から離れる側に向かうほど、大きな面積となるよう形成されていてもよい。
【００３０】
出射面５１２は、導光部材５１の正面側（前方側）の面に設けられている。言い換えると、出射面５１２は、光拡散部５１３とは反対側の面に設けられている。出射面５１２は、光拡散部５１３により拡散した光が導光部材５１内から出射するための面である。出射面５１２は、例えば、前方斜め中央側に臨み、センターミラーの前に立つユーザーに対して光を当てるように向けられている。なお、出射面５１２は、鏡面に直角な方向に臨んでいてもよいし、導光部材５１の鏡面に対する角度を変えることで、鏡面に対する角度が調整可能となっていてもよい。
【００３１】
第１の光源５２は、導光部材５１の長手方向の下端部に配置されている。第１の光源５２は、指向性を有している。第１の光源５２の発光方向の先端側は、入射面５１１に臨んでいる。これにより、第１の光源５２から発せられた光は、入射面５１１から導光部材５１内に入射するようになっている。第１の光源５２は、例えば、ＬＥＤ（Light Emitting Diode）により構成されている。第１の光源５２は、基板５４に取り付けられている。
【００３２】
第１の光源５２から光が発せられると、その光は、入射面５１１を介して導光部材５１内に入射する。入射面５１１から入射した光は、導光部材５１の内面に全反射を繰り返し、導光部材５１の長手方向において入射面５１１とは反対側の端面に向かって進行する。進行する光の大部分は、光拡散部５１３に反射して拡散する。光拡散部５１３により拡散した光は、出射面５１２に向かって反射する。この後、光は、出射面５１２を介して導光部材５１から出射する。
【００３３】
第２の光源５３は、導光部材５１の下端部に設けられている。第２の光源５３は、下方に向かって発光する。第２の光源５３は、例えば、ＬＥＤにより構成されている。第２の光源５３は、第１の光源５２が取り付けられた基板５４の裏側に取り付けられている。言い換えると、第２の光源５３と第１の光源５２とは、共通の基板５４に取り付けられている。この基板５４は、保持具により導光部材５１に固定されている。
【００３４】
なお、第１の光源５２と第２の光源５３とは、別々の基板５４に取り付けられていてもよい。また、第１の光源５２と第２の光源５３とは、一つのスイッチにより、点灯と消灯とを制御するものであってもよいし、それぞれ別々のスイッチにより点灯と消灯とを制御するものであってもよい。
【００３５】
第２の光源５３から発せられる光は、収納部２１の開閉扉２４が略鉛直状態のときには、開閉扉２４の前方を通過して、洗面台６に照射される。言い換えると、第２の光源５３は、開閉扉２４が略鉛直状態の時には収納部２１よりも下方を照らす。また、第２の光源５３から発せられる光は、収納部２１の開閉扉２４が略水平状態のときには、図２に示されるように、開閉扉２４の上面に照射される。つまり、第２の光源５３は、収納部２１の開閉扉２４が略水平状態のときに、収納部２１に光を当てるように設けられている。
【００３６】
洗面台６は、ミラーキャビネット１の下方に配置されている。洗面台６は、例えば、白色の合成樹脂により形成されている。洗面台６は、カウンター部６２と、ボウル部６１とを備えている。ボウル部６１は、水栓６３から吐出された湯水を受ける。水栓６３は、図４に示されるように、ボウル部６１の上縁部に設けられている。ボウル部６１は、椀状に形成されている。ボウル部６１の左右方向の側面は、底面に向かうほど平面視中央側に向かうよう傾斜している。ボウル部６１の側面と、第２の光源５３とは、上下方向に並ぶように配置されている。言い換えると、第２の光源５３は、ボウル部６１の側面の上方に配置されている。カウンター部６２は、ボウル部６１の左右両側に設けられている。カウンター部６２とボウル部６１とは一体成形されている。本実施形態の洗面化粧台は、第２の光源５３が、ボウル部６１の側面を中心にして、ボウル部６１とカウンター部６２とに光を当てるようになっている。
【００３７】
下部キャビネット７は、洗面台６の下方に配置されている。下部キャビネット７は、洗面台６を支持する。下部キャビネット７は、複数の引き出し部７１を有している。
【００３８】
第２の光源５３が光を発すると、その光は、洗面台６に照射される。洗面台６は、白色をしているため、多くの光量を反射させることができる。これにより、ミラーキャビネット１の下方をより一層明るくすることができる。さらに、第２の光源５３は、ボウル部６１の傾斜した側面にも多くの光を当てる。このため、ユーザーがボウル部６１で作業する際に、ユーザーの左右両側の下方からも光を当てることができる。
【００３９】
以上説明したように、本実施形態のミラーキャビネット１は、複数の鏡体４を備えている。ミラーキャビネット１は、照明装置５を備えている。照明装置５は、鏡体４の間に設けられている。また、照明装置５は、導光部材５１と、第１の光源５２と、第２の光源５３とを備えている。導光部材５１は、鏡体４の上下方向の略全長に亙った長さに形成されている。第１の光源５２は、導光部材５１に光を入射させる。第２の光源５３は、導光部材５１の下端部に設けられている。第２の光源５３は、下方に向かって発光する。
【００４０】
このため、本実施形態のミラーキャビネット１によれば、ユーザーに対して、正面から光を当てることができる上に、手元にも光を当てることができ、鏡の前での作業性が向上する。
【００４１】
また本実施形態のミラーキャビネット１は、収納部２１を備えている。収納部２１は、導光部材５１の下方に設けられている。第２の光源５３は、収納部２１に光を当てるよう設けられている。
【００４２】
このため、本実施形態のミラーキャビネット１によれば、ユーザーに対し、収納部２１を使用しやすくすることができる。
【００４３】
また本実施形態の収納部２１は、開口部２３と、開閉扉２４とを備えている。開口部２３は、収納スペースに収納物を通すため前方に向かって開口する。開閉扉２４は、開口部２３の下縁部に軸支されて回動自在に設けられている。開閉扉２４は、略水平状態から略鉛直状態までの範囲で回動する。開閉扉２４は、水平状態で前記開口部２３を開放し、略鉛直状態で前記開口部２３を閉塞する。第２の光源５３は、開閉扉２４が略鉛直状態の時には収納部２１よりも下方を照らす。また第２の光源５３は、開閉扉２４が略水平状態のときには開閉扉２４の上面を照らす。
【００４４】
このため本実施形態のミラーキャビネット１によれば、通常の使用時には、手元に光を当てることができ、しかも、収納部２１が使用されるときには、収納部２１に光を当てることができる。
【００４５】
また本実施形態の照明装置５の導光部材５１は、センターミラーの左右両側に配置されている上に、上下方向に線状に発光する。このため、本実施形態のミラーキャビネット１によれば、ユーザーに正面側から上から下までほぼ均一に光を当てながら、または上から下まで最適な光量分布の光を当てながら、それでいて、眩し過ぎないようにすることができる。
【００４６】
また本実施形態の第２の光源５３は、導光部材５１の下端部に取り付けられている。第２の光源５３は、ＬＥＤにより構成されている。このため、ミラーキャビネット１において、第２の光源５３を設置するためのスペースを新たに必要とせず、導光部材５１の下端面を利用して第２の光源５３を設置することができる。しかも、本実施形態の照明装置５は、第１の光源５２と第２の光源５３とが共通の基板５４に取り付けられているため、設置スペースを一層、小さくすることができる。この結果、本実施形態のミラーキャビネット１は、収納スペースをほとんど減らすことなく、明るさを確保することができる。
【００４７】
なお、本実施形態の収納部２１は箱形状に形成されていたが、本発明の収納部２１は、実施形態の形状に限定されない。例えば、収納物を収納可能な板状の載置棚であってもよいし、網状の載置棚であってもよい。
【００４８】
また、本実施形態の収納部は開閉扉を有していたが、本発明においては、開閉扉は必ずしも必要ではない。
【符号の説明】
【００４９】
１      ミラーキャビネット
２      キャビネット
２１    収納部
２２    収納部本体
２３    開口部
２４    開閉扉
３      扉体
４      鏡体
５      照明装置
５１    導光部材
５１１  入射面
５１２  出射面
５１３  光拡散部
５２    第１の光源
５３    第２の光源
６      洗面台
６１    ボウル部
７      下部キャビネット
【図１】
2014014616.tif 000003
【図２】
2014014616.tif 000004
【図３】
2014014616.tif 000005
【図４】
2014014616.tif 000006